(57)【要約】      （修正有）【課題】吸着力の強い吸盤システムを提供する。【解決手段】吸盤システム１は、柔軟性を有し、環状に形成される、吸盤部材２と、吸盤部材が嵌合されて、密閉可能な内部空間３０を有する、ケーシング部材３と、内部空間と外部とを連通する連通孔４０に設置され、内部空間の空気を抜くことができる逆止弁４と、を備える。【選択図】図３
0003225169.tif 000002
【実用新案登録請求の範囲】
【請求項１】
柔軟性を有し、環状に形成される、吸盤部材と、
前記吸盤部材が嵌合されて、密閉可能な内部空間を有する、ケーシング部材と、
前記内部空間と外部とを連通する連通孔に設置される逆止弁であって、内部空間の空気を抜くことができるように構成される、逆止弁と、
を備える、吸盤システム。
【請求項２】
前記連通孔を通じて内部空間から空気を排出するためのピストン部材であって、前記ケーシング部材の前記連通孔に対して脱着自在に構成される、ピストン部材をさらに備える、請求項１に記載された、吸盤システム。
【請求項３】
前記逆止弁が設置された前記連通孔を覆うように設置されるカバー部材をさらに備える、請求項１又は請求項２に記載された、吸盤システム。
【請求項４】
前記ケーシング部材にフック部材を介して掛止される、ラック部材、棚部材、ホルダ部材、又は、タオル掛け部材のいずれかを選択可能にさらに備える、請求項１乃至請求項３のいずれか一項に記載された、吸盤システム。
【考案の詳細な説明】
【技術分野】
【０００１】
本考案は、吸着力の強い吸盤システムに関するものである。
【背景技術】
【０００２】
一般に、吸盤は、家具や壁等の平滑な平面に吸着されるものであり、フック等を簡単に吸着・固定させることができる。吸盤は、例えば、家具、壁面、ガラスなどに吸着されて使用されており、フックや棚等を固定するために利用されることが多い。
【０００３】
しかしながら、従来の吸盤は、吸着された後に、長時間が経過したり、保持する重量が重かったりすると、脱落・落下してしまうおそれがある。そのため、吸着力の強い吸盤を開発することが望まれていた。
【０００４】
例えば、特許文献１には、被吸着面に対し軟質で直接吸着する構造層と硬質の構造層とを積層させて、少なくとも二層の構造を用いた吸盤構造体を提供することによって、粗い表面に対しても吸着力を維持できる、吸盤の構造が開示されている。
【先行技術文献】
【特許文献】
【０００５】
【特許文献１】実用新案登録第３１６３０６９号公報
【考案の概要】
【考案が解決しようとする課題】
【０００６】
この特許文献１の吸盤の構造は、制御ハンドルによって吸盤を外側に引っ張ることによって真空吸着力を発生するようになっている。しかしながら、この特許文献１のように機構的に発生させる真空吸着力には限界があった。
【０００７】
そこで、本考案は、吸着力の強い吸盤システムを提供することを目的としている。
【課題を解決するための手段】
【０００８】
前記目的を達成するために、本考案の吸盤システムは、柔軟性を有し、環状に形成される、吸盤部材と、前記吸盤部材が嵌合されて、密閉可能な内部空間を有する、ケーシング部材と、前記内部空間と外部とを連通する連通孔に設置される逆止弁であって、内部空間の空気を抜くことができるように構成される、逆止弁と、を備えている。
【０００９】
また、前記連通孔を通じて内部空間から空気を排出するためのピストン部材であって、前記ケーシングの前記連通孔に対して脱着自在に構成される、ピストン部材をさらに備えることができる。
【００１０】
さらに、前記逆止弁が設置された前記連通孔を覆うように設置されるカバー部材をさらに備えることができる。
【００１１】
前記ケーシングにフック部材を介して掛止される、ラック部材、棚部材、ホルダ部材、又は、タオル掛け部材のいずれかを選択可能にさらに備えることができる。
【考案の効果】
【００１２】
このように、本考案の吸盤システムは、柔軟性を有し、環状に形成される、吸盤部材と、盤部材が嵌合されて、密閉可能な内部空間を有する、ケーシング部材と、内部空間と外部とを連通する連通孔に設置される逆止弁であって、内部空間の空気を抜くことができるように構成される、逆止弁と、を備えている。このような構成であれば、内部空間の空気を抜くことによって、吸着力の強い吸盤システムとなる。
【００１３】
また、連通孔を通じて内部空間から空気を排出するためのピストン部材であって、ケーシングの連通孔に対して脱着自在に構成される、ピストン部材をさらに備えるため、このピストン部材を往復運動させることによって、真空吸着力をきわめて強力にすることができるようになる。
【００１４】
さらに、逆止弁が設置された連通孔を覆うように設置されるカバー部材をさらに備えることで、誤って逆止弁と接触して真空密着力が失われることを防止できるうえ、外観の意匠を向上できる。
【００１５】
また、ケーシングにフック部材を介して掛止される、ラック部材、棚部材、ホルダ部材、又は、タオル掛け部材のいずれかを選択可能にさらに備えることで、強大な吸着力を様々な用途に繰り返し再利用することができる。
【図面の簡単な説明】
【００１６】
【図１】吸盤システムの斜視図である。
【図２】吸盤システムの部品図である。
【図３】吸盤システムの断面図である。
【図４】吸盤システムの取付け方法の説明図である。
【図５】吸盤システムのラックの取外し方法の説明図である。
【考案を実施するための形態】
【００１７】
以下、本考案の実施の形態について図面を参照して説明する。
【実施例】
【００１８】
（構成）
まず、図１〜図３を用いて、本考案の吸盤システム１の全体構成について説明する。この吸盤システム１は、柔軟性を有し、環状に形成される、吸盤部材２と、吸盤部材２が嵌合されて、密閉可能な内部空間３０を有する、ケーシング部材３と、内部空間３０と外部とを連通する連通孔４０に設置される逆止弁４であって、内部空間３０の空気を抜くことができるように構成される、逆止弁４と、この逆止弁４が設置された連通孔４０を覆うように設置されるカバー部材５と、ケーシング部材３にフック部材６を介して掛止されるラック部材８０と、を主に備えている。
【００１９】
吸盤部材２は、図２〜図３に示すように、合成ゴムやシリコンゴム等の柔軟性を有する材料によって角丸の四角形の環状に形成される。吸盤部材２は、ケーシング部材３の裏面側に設けられた溝内に嵌合するように設置される。吸盤部材２の高さは、ケーシング部材３の溝の深さよりも少し高くなるように設定されている。
【００２０】
ケーシング部材３は、図１〜図３に示すように、合成樹脂等によって四角形の薄い皿状に形成されるものであり、裏面側に吸盤部材２が嵌合される四角形の溝が形成されるとともに、吸盤部材２によって囲まれるように内部空間３０が形成される。さらに、ケーシング部材３には、中央近傍に連通孔４０が設けられて、後述する逆止弁４が設置されるようになっている。
【００２１】
逆止弁４は、図２〜図３に示すように、合成ゴムやシリコンゴム等の柔軟性を有する材料によって半球状に形成される。逆止弁４は、内部空間３０から外部に向かって空気を抜くと、気圧差によって内部空間３０側に密着して連通孔４０を塞いで空気の逆流を防止するようになっている。すなわち、後述するピストン部材７によって内部空間３０から空気を抜くことはできるが、一旦空気が抜かれて内部空間３０が真空状態になると、この真空状態を保持するようになっている。
【００２２】
カバー部材５は、図１〜図２に示すように、フック部材６が取り付けられた状態で、逆止弁４が設置されている連通孔４０を覆うように設置される。これによって、フック部材６が脱落することを防止できるうえ、誤って逆止弁４に触れてしまい真空状態を解除してしまうことを防止できる。
【００２３】
ラック部材８０は、様々な小物等を引っ掛けるために使用される。このラック部材８０の他にも、ケーシング部材３には、図示しないが、フック部材６を介して、棚部材、ホルダ部材、又は、タオル掛け部材などのいずれかを選択可能に備えることができる。
【００２４】
そして、本実施例の吸盤システム１には、連通孔４０を通じて内部空間３０から空気を排出するためのピストン部材７であって、ケーシング部材３の連通孔４０に対して脱着自在に構成される、ピストン部材７をさらに備えている。すなわち、ピストン部材７は、吸盤部材２の密着作業時には使用されるが、一旦密着した後は使用されることはない。以下、ピストン部材７を使用する吸盤システムの取付け方法と吸盤システムのラックの取外し方法について説明する。
【００２５】
（吸盤システムの取付け方法）
吸盤システム１を取付ける際には、図４に示したように、以下の（１）〜（５）の手順が実施される。
（１）使用する表面をきれいにして乾かす。
（２）蓋を開けて、吸盤（吸盤部材２）の保護シールをはがす。
（３）吸盤（吸盤部材２）にある「矢印マーク」を注意して貼る。
（４）付属の脱気筒（ピストン部材７）で空気を排出する。動作を６回繰り返し行う。
（５）フック（フック部材６）をかけて、蓋（カバー部材５）を閉める。
（６）さらに、フック（フック部材６）に、使用者の選択に応じて、ラック（ラック部材８０）を掛けることができる。
【００２６】
（吸盤システムのラックの取外し方法）
吸盤システム１のラックを取外す際には、図５に示したように、指先で真ん中のゴム（逆止弁４）をほじって、空気を放出することで、吸盤（吸盤部材２）を剥がす。
【００２７】
以上、図面を参照して、本考案の実施例を詳述してきたが、具体的な構成は、この実施例に限らず、本考案の要旨を逸脱しない程度の設計的変更は、本考案に含まれる。
【符号の説明】
【００２８】
１          吸盤システム
２          吸盤部材
３          ケーシング部材
３０        内部空間
４          逆止弁
４０        連通孔
５          カバー部材
６          フック部材
７          ピストン部材
【図１】
0003225169.tif 000003
【図２】
0003225169.tif 000004
【図３】
0003225169.tif 000005
【図４】
0003225169.tif 000006
【図５】
0003225169.tif 000007